(57)【要約】      （修正有）【課題】簡単な構造で、且つ、水圧に耐え得る強固な構造の浮上可能な鉄筋コンクリート構築物を提供する。【解決手段】鉄筋コンクリート構築物１は、コンクリート２２を打設して形成した鉄筋入りのベタ基礎２と、ベタ基礎２上にコンクリート２２を打設して形成した鉄筋入りの根巻き基礎３と、根巻き基礎３上にコンクリート２２を打設して形成した鉄筋入りコンクリートによるＲＣ壁４とを有する。さらに、ベタ基礎２と根巻き基礎３とＲＣ壁４とが一体的に断面Ｕ字形状となるように構成され、且つ、ＲＣ壁４の高さ範囲内に喫水線が位置するように構成され、ベタ基礎２と根巻き基礎３とＲＣ壁４とが一体的に連結状態のまま浮上可能に構成されている。【選択図】図４
0003180231.tif 000002
【実用新案登録請求の範囲】
【請求項１】
鉄筋コンクリート構築物であって、
コンクリートを打設して形成した鉄筋入りのベタ基礎と、
前記ベタ基礎上にコンクリートを打設形成した鉄筋入りの根巻き基礎と、
前記根巻き基礎上にコンクリートを打設形成した鉄筋入りコンクリートによるＲＣ壁と、を有し、
前記ベタ基礎と前記根巻き基礎と前記ＲＣ壁とが一体的に断面Ｕ字形状となるように構成され、且つ、前記ＲＣ壁の高さ範囲内に喫水線が位置するように構成され、
前記ベタ基礎と前記根巻き基礎と前記ＲＣ壁とが一体的に連結状態のまま浮上可能に構成されていることを特徴とする鉄筋コンクリート構築物。
【請求項２】
前記ＲＣ壁および前記根巻き基礎は、外側部に防水被覆部を有することを特徴とする請求項１に記載の鉄筋コンクリート構築物。
【請求項３】
前記ＲＣ壁は、窓枠用開口部を除く部分に鉄筋を配置した状態でコンクリートを打設した後、前記窓枠用開口部が形成された構造であり、
前記喫水線が前記窓枠用開口部の下端よりも低い位置となるように構成されていることを特徴とする請求項１または請求項２に記載の鉄筋コンクリート構築物。
【請求項４】
前記ＲＣ壁は、柱として両端部に配置されたチャンネル部材を有し、前記チャンネル部材間にコンクリートを打設して形成された構造であり、
隣接するＲＣ壁のチャンネル部材はそれぞれボルト部材を含む連結部材より連結され、且つ、タップ溶接により連結されていることを特徴とする請求項１から請求項３のいずれかに記載の鉄筋コンクリート構築物。
【考案の詳細な説明】
【技術分野】
【０００１】
本考案は、鉄筋コンクリート構築物に関し、詳細には、例えば、住宅、車庫、農業ハウス、工場、倉庫、別荘などとして利用される鉄筋コンクリート構築物に関する。
【背景技術】
【０００２】
住宅などとして利用される軽量鉄骨製の軽量構築物が知られている（例えば、特許文献１参照）。
【先行技術文献】
【特許文献】
【０００３】
【特許文献１】登録実用新案第３１４５９８９号公報
【考案の概要】
【考案が解決しようとする課題】
【０００４】
ところで、洪水や津波などの時に、水圧に耐え得る強固な構造の構築物が望まれている。また、洪水や津波などの時に、浮上可能な構築物が望まれている。
【０００５】
本考案は、上記問題に鑑み、簡単な構造で浮上可能な鉄筋コンクリート構築物を提供すること、水圧に耐え得る強固な構造の鉄筋コンクリート構築物を提供すること、などを目的とする。
【課題を解決するための手段】
【０００６】
本考案に係る鉄筋コンクリート構築物は、コンクリートを打設して形成した鉄筋入りのベタ基礎と、前記ベタ基礎上にコンクリートを打設形成した鉄筋入りの根巻き基礎と、前記根巻き基礎上にコンクリートを打設形成した鉄筋入りコンクリートによるＲＣ壁と、を有し、前記ベタ基礎と前記根巻き基礎と前記ＲＣ壁とが一体的に断面Ｕ字形状となるように構成され、且つ、前記ＲＣ壁の高さ範囲内に喫水線が位置するように構成され、前記ベタ基礎と前記根巻き基礎と前記ＲＣ壁とが一体的に連結状態のまま浮上可能に構成されていることを特徴とする。
【考案の効果】
【０００７】
本考案によれば、簡単な構造で浮上可能な鉄筋コンクリート構築物を提供することができる。また、本考案によれば、水圧に耐え得る強固な構造の鉄筋コンクリート構築物を提供することができる。
【図面の簡単な説明】
【０００８】
【図１】本考案の実施形態に係る鉄筋コンクリート構築物の横断平面図。
【図２】本考案の実施形態に係る鉄筋コンクリート構築物の側面図。
【図３】本考案の実施形態に係る鉄筋コンクリート構築物の縦断側面図。
【図４】本考案の実施形態に係る鉄筋コンクリート構築物の浮いた状態の一例を示す図。
【図５】本考案の実施形態に係る鉄筋コンクリート構築物のＲＣ壁の一例を示す図であり、（ａ）はＲＣ壁の上部の平面図、（ｂ）はＲＣ壁の正面図、（ｃ）はＲＣ壁の下部の平面図。
【図６】本考案の実施形態に係る鉄筋コンクリート構築物の窓枠用開口部のあるＲＣ壁の一例を示す図であり、（ａ）はＲＣ壁の上部の平面図、（ｂ）はＲＣ壁の正面図、（ｃ）はＲＣ壁の下部の平面図。
【図７】本考案の実施形態に係る鉄筋コンクリート構築物のＲＣ壁の一例を示す図、（ａ）はタップ溶接前のＲＣ壁の柱部の断面図、（ｂ）はタップ溶接後のＲＣ壁の柱部の断面図。
【図８】本考案の実施形態に係る鉄筋コンクリート構築物の施行手順の一例を示す図であり、ベタ基礎製作時の鉄筋コンクリート構築物の断面図。
【図９】本考案の実施形態に係る鉄筋コンクリート構築物の施行手順の一例を示す図であり、根巻き基礎製作時の鉄筋コンクリート構築物の断面図。
【図１０】本考案の実施形態に係る鉄筋コンクリート構築物の施行手順の一例を示す図であり、ＲＣ壁等製作時の鉄筋コンクリート構築物の断面図。
【図１１】本考案の実施形態に係る鉄筋コンクリート構築物の施行手順の一例を示す図であり、窓枠用開口部形成時の鉄筋コンクリート構築物の断面図。
【図１２】本考案の実施形態に係る鉄筋コンクリート構築物の施行手順の一例を示す図であり、窓枠設置時の鉄筋コンクリート構築物の断面図。
【図１３】本考案の実施形態に係る鉄筋コンクリート構築物の施行手順の一例を示す図であり、完成時の鉄筋コンクリート構築物の断面図。
【図１４】本考案の実施形態に係る鉄筋コンクリート構築物の吊り上げ時の状態の一例を示す図、（ａ）は鉄筋コンクリート構築物の正面図、（ｂ）は鉄筋コンクリート構築物の要部を部分拡大した図。
【考案を実施するための形態】
【０００９】
以下、本考案の実施形態に係る鉄筋コンクリート構築物を、図面を参照しながら説明する。
【００１０】
図１は本考案の実施形態に係るＲＣ（Reinforced Concrete）外壁プレハブ構造を採用した鉄筋コンクリート構築物１の横断平面図である。図２は鉄筋コンクリート構築物１の側面図である。図３は鉄筋コンクリート構築物１の縦断側面図である。図４は鉄筋コンクリート構築物１の浮いた状態の一例を示す図である。
【００１１】
図１、図２、図３に示したように、本考案の実施形態に係る鉄筋コンクリート構築物１は、鉄骨躯体で構成され、コンクリート打設により強固な構造となっている。鉄筋コンクリート構築物１は、例えば、住宅、車庫、農業ハウス、工場、倉庫、別荘などとして利用される。
また、図４に示したように、鉄筋コンクリート構築物１は、洪水や津波などの時に浮上可能に形成されている。
【００１２】
以下、本考案の実施形態に係る鉄筋コンクリート構築物１の各構成について詳細に説明する。
【００１３】
鉄筋コンクリート構築物１は、鉄筋５０入りのベタ基礎２と、ベタ基礎２上に打設形成された鉄筋５０入りの根巻き基礎３と、根巻き基礎３上に打設形成された鉄筋５０入りコンクリートによるＲＣ壁４と、などを有する。
【００１４】
詳細には、鉄筋コンクリート構築物１は、図１に示したように、四面が複数のＲＣ壁４により囲まれた構造となっている。図２、図３に示したように、地面（ＧＮＤ）上に砕石８０などを敷き詰めて転圧し、略平坦となった砕石８０上に鉄筋入りのベタ基礎２が形成されている。このベタ基礎２上に鉄筋入りの根巻き基礎３が形成され、根巻き基礎３上にＲＣ壁４が形成されている。
床部には、図３に示したように、複数のアジャスター支持材５が配置され、アジャスター支持材５にチャンネルなどの大引き６が設けられ、大引き６上にＣチャンネルなどの根太７が設けられ、根太７上にコンパネなどの合板８が設けられ、合板８の表面にカラーフロア９などにより床仕上げが施されている。
【００１５】
ＲＣ壁４には、図２に示したように、窓枠用開口部４ａに窓や窓枠１０などが備えられている。また、ＲＣ壁４には、出入口用開口部４ｂに開き戸や引き戸などの扉１１が設けられている。この扉１１は防水構造となっている。
ＲＣ壁４内の鉄筋５０は、窓枠用開口部４ａや出入口用開口部４ｂには配置されていない。
天井部分は、図３、図２に示したように、梁１５に吊りボルト１６により天井軽量鉄骨１７（ＬＧＳ）が設けられ、天井軽量鉄骨１７にボード１８やクロス１９が設けられて構成されている。
また、梁１５上に、キーストンプレート２１などの部材を設け、その上にコンクリート２２を打設して屋根部分が形成され、コンクリートなどで形成された庇の出２３の端部に雨樋２４が設けられている。
【００１６】
また、鉄筋コンクリート構築物１のＲＣ壁４や根巻き基礎３、屋根部分、ベタ基礎２の一部分などには、それらの外側部に防水被覆部３０が形成されている。この防水被覆部３０は、例えば、硬化剤含有の樹脂を、ＲＣ壁４や根巻き基礎３、屋根部分などに吹付ける防水工法により形成される。
【００１７】
また、鉄筋コンクリート構築物１は、ベタ基礎２と根巻き基礎３とＲＣ壁４とが一体的に断面Ｕ字形状となるように構成され、外側部に防水被覆部３０が形成されている。つまり、鉄筋コンクリート構築物１は、図４に示したように、船のように水に浮く構造となっている。
詳細には、鉄筋コンクリート構築物１は、洪水や津波などの時に、地面（ＧＮＤ）の砕石８０よりも上部である、ベタ基礎２と根巻き基礎３とＲＣ壁４と、鉄骨躯体、天井部分などが一体的に連結状態のまま浮上可能な構造となっている。喫水線（ＷＬ）は、ＲＣ壁４の高さ範囲内に位置するように構成されている。詳細には、喫水線（ＷＬ）が窓枠用開口部４ａの下端よりも低い位置となるように構成されている。上述したように、ＲＣ壁４の出入口用開口部４ｂに設けられた扉１１は防水構造となっており、室内への水の浸入を防止する。
【００１８】
次に、ＲＣ壁４について、図面を参照しながら詳細に説明する。
図５は本考案の実施形態に係る鉄筋コンクリート構築物１のＲＣ壁４の一例を示す図であり、図５（ａ）はＲＣ壁４の上部の平面図、図５（ｂ）はＲＣ壁４の正面図、図５（ｃ）はＲＣ壁４の下部の平面図である。
図６は、鉄筋コンクリート構築物１の窓枠用開口部４ａのあるＲＣ壁４の一例を示す図であり、図６（ａ）はＲＣ壁４の上部の平面図、図６（ｂ）はＲＣ壁４の正面図、図６（ｃ）はＲＣ壁４の下部の平面図である。
図７は鉄筋コンクリート構築物１のＲＣ壁の一例を示す図であり、図７（ａ）はタップ溶接前のＲＣ壁４の柱部の断面図、図７（ｂ）はタップ溶接後のＲＣ壁４の柱部の断面図である。
【００１９】
図５に示したように、ＲＣ壁４は、縦横に所定間隔で配置された鉄筋５０の両端に、柱部分としてのチャンネル部材４１が配置され、鉄筋５０がチャンネル部材の芯に溶接により接続固定されている。また、ＲＣ壁４の上部に設けられた枠トップチャンネル４２（チャンネル部材）に鉄筋５０が溶接などにより接続固定されている。
また、図５に示したように、柱部分としてのチャンネル部材４１と枠トップチャンネル４２とＨ鋼などの梁１５が、ハイテンションボルトなどの連結部材１４により連結され、且つ、溶接により接続されている。
また、ＲＣ壁４の下部付近には枠下部支持兼根太受けアングル４３が設けられ、溶接により接続固定されている。
また、図６に示したように、ＲＣ壁４に窓枠用開口部４ａを設ける場合、その窓枠用開口部４ａには鉄筋５０を配置しない。そして、コンクリートを打設した後、コンクリートカッタなどの切断手段により窓枠用開口部４ａを形成する。
【００２０】
尚、鉄筋５０は工場にて枠（柱部分としてのチャンネル部材４１など）に溶接固定され、トラックなどにより現場まで移送されて、現場にて所定位置に設置される。
現場では、図７に示したように、隣接するＲＣ壁４の柱部分としてのチャンネル部材４１などはそれぞれハイテンションボルト部材などを含む連結部材１４より連結され、且つ、タップ溶接により連結されている（タップ溶接部３５）。
その後、型枠を配置した後、コンクリート２２を打設することで、ＲＣ壁４が形成される。
このように、ＲＣ壁４は強固な構造を有する。
【００２１】
次に、本考案の実施形態に係る鉄筋コンクリート構築物１の施行手順の一例を図面を参照しながら説明する。
【００２２】
図８はベタ基礎製作時の鉄筋コンクリート構築物１の断面図である。
先ず、図８に示したように、地面（ＧＮＤ）上に砕石８０などを敷き詰めて転圧し、略平坦となった砕石８０上に、型枠６０、鉄筋５０を所定位置に配置した後、コンクリート２２を打設することで、ベタ基礎２を形成する。この際、根巻き部分に鉄筋５０が延出るように形成することが好ましい。また、ベタ基礎２の端部付近は肉厚となるように形成することが好ましい。
【００２３】
図９は根巻き基礎製作時の鉄筋コンクリート構築物１の断面図である。
次に、図９に示したように、工場などから移送されたＲＣ壁４などの鉄骨躯体を所定位置に配置し、鉄骨躯体をハイテンションボルト部材などの連結部材１４により連結し、建ち直し後、タップ溶接で筋結合する。また、Ｃチャンネルなどの根太７を所定位置に設け、柱部分のチャンネル部材４１などに溶接により固定する。
根巻部分に配筋を行い、根巻部分の内枠を組立てた後、コンクリート２２を打設することで、ベタ基礎２上に鉄筋５０入りの根巻き基礎３を形成する。
【００２４】
図１０はＲＣ壁４等製作時の鉄筋コンクリート構築物１の断面図である。
次に、図１０に示したように、ＲＣ壁４などを製作するために、所定位置に型枠６０を配置する。この際、ＲＣ壁４の躯体（軽量鉄骨など）にＨ鋼などの梁１５やキーストン部レート受けチャンネル４４を設け、その上にキーストンプレート２１を設置する。庇の出２３や雨樋２４などの部分には仮設部材６１により庇受支持保工を施す。
次に、コンクリート２２を打設することで、根巻き基礎３上に鉄筋５０入りコンクリート２２によるＲＣ壁４や屋根部分が形成される。
【００２５】
図１１はＲＣ壁４の窓枠用開口部形成時の鉄筋コンクリート構築物の断面図である。
次に、図１１に示したように、コンクリート２２が硬化した後、型枠６０を取り外す。ＲＣ壁４の窓枠用開口部４ａなどを形成するために、墨出しを行い、コンクリートカッタなどの切断手段によりカットすることにより、窓枠用開口部４ａや出入口用開口部４ｂを形成する。
【００２６】
図１２は窓枠１０設置時の鉄筋コンクリート構築物１の断面図である。
次に、図１２に示したように、ＲＣ壁４の窓枠用開口部４ａに窓や窓枠１０を設置する、ＲＣ壁４の出入口用開口部４ｂに扉などを設置する、などの施工を行う。
そして、鉄筋コンクリート構築物１のＲＣ壁４や根巻き基礎３、屋根部分、ベタ基礎２の一部分などには、それらの外側部に、例えば、硬化剤含有の樹脂を吹付ける防水工法により防水被覆部３０を形成する。
【００２７】
図１３は完成時の鉄筋コンクリート構築物１の断面図である。
次に、図１３、図３に示したように、床部分において、複数のアジャスター支持材５、大引き６、Ｃチャンネルなどの根太７上に、コンパネなどの合板８を設け、合板８の表面にカラーフロア９などにより床仕上げを施す。
梁１５に設けられた吊りボルト１６や天井軽量鉄骨１７（ＬＧＳ）にボード１８やクロス１９を設置する。
上述したように、鉄筋コンクリート構築物１を形成する。
【００２８】
以上、本考案の実施形態に係る鉄筋コンクリート構築物１は、コンクリート２２を打設して形成した鉄筋５０入りのベタ基礎２と、ベタ基礎２上にコンクリート２２を打設して形成した鉄筋５０入りの根巻き基礎３と、根巻き基礎３上にコンクリート２２を打設して形成した鉄筋５０入りコンクリート２２によるＲＣ壁４と、を有し、ベタ基礎２と根巻き基礎３とＲＣ壁４とが一体的に断面Ｕ字形状となるように構成され、且つ、ＲＣ壁４の高さ範囲内に喫水線（ＷＬ）が位置するように構成され、ベタ基礎２と根巻き基礎３とＲＣ壁４とが一体的に連結状態のまま浮上可能に構成されている。
このように、ベタ基礎２と根巻き基礎３とＲＣ壁４とが一体的に連結状態のまま浮上可能であり、簡単な構造で浮上可能な鉄筋コンクリート構築物１を提供することができる。
また、ベタ基礎２と根巻き基礎３とＲＣ壁４とが一体的に構成されているので、水圧に耐え得る強固な構造の鉄筋コンクリート構築物１を提供することができる。
【００２９】
また、本考案の実施形態に係る鉄筋コンクリート構築物１は、ＲＣ壁４および根巻き基礎３が、外側部に防水被覆部３０を有する。このため、簡単な構造で、鉄筋コンクリート構築物１である建物内部への水の浸入を防止することができる。詳細には、鉄筋コンクリート構築物１が水に浮いた状態であっても、建物内部への水の浸入を防止することができる。
【００３０】
また、本考案の実施形態に係る鉄筋コンクリート構築物１は、ＲＣ壁４が、窓枠用開口部４ａを除く部分に鉄筋５０を配置した状態でコンクリート２２を打設した後、コンクリートカッタなどの切断手段により、窓枠用開口部４ａなどが形成された構造である。このため、ＲＣ壁４に容易に窓枠用開口部４ａなどを形成することができる。この窓枠用開口部４ａには、窓や窓枠１０などを容易に備え付けることができる。
また、本考案の実施形態に係る鉄筋コンクリート構築物１は、喫水線（ＷＬ）が窓枠用開口部４ａの下端よりも低い位置となるように構成されている。このため、鉄筋コンクリート構築物１が水に浮いた状態であっても、建物内部への水の浸入を防止することができる。
【００３１】
また、本考案の実施形態に係る鉄筋コンクリート構築物１は、鉄筋コンクリート構築物全体の比重が約０．３〜０．５であり、具体的には、例えば、約０．３３程度となるように構成されている。また、鉄筋コンクリート構築物１に働く重力（質量と重力加速度の積）の大きさが、鉄筋コンクリート構築物１に働く浮力（鉄筋コンクリート構築物１の流体中（水など）に占める体積（喫水線（ＷＬ）より下部分の体積）と水の密度と重力加速度の積）の大きさと同じとなるように構成され、且つ、ＲＣ壁４の高さ範囲内に喫水線（ＷＬ）が位置するように構成されている。このため、水に容易に浮くことができる鉄筋コンクリート構築物１を提供することができる。
また、ベタ基礎２や根巻き基礎３などの基礎部分が、鉄筋コンクリート構築物１の全重量の約５５％程度（重量換算）を占めるので、安定した姿勢で水に浮くことが可能な鉄筋コンクリート構築物１を提供することができる。
【００３２】
また、本考案の実施形態に係る鉄筋コンクリート構築物１は、ＲＣ壁４が、柱として両端部に配置されたチャンネル部材４１を有し、チャンネル部材４１間にコンクリート２２を打設して形成された構造である。また、詳細には、隣接するＲＣ壁４のチャンネル部材４１がそれぞれボルト部材を含む連結部材１４より連結され、且つ、タップ溶接により連結された後、コンクリート２２を打設した構造となっている。
このため、非常に強固な構造の鉄筋コンクリート構築物１を提供することができる。
【００３３】
図１４は、本考案の実施形態に係る鉄筋コンクリート構築物１の吊り上げ時の状態の一例を示す図であり、詳細には、図１４（ａ）は鉄筋コンクリート構築物１の正面図、図１４（ｂ）は鉄筋コンクリート構築物１の要部を部分拡大した図である。
図１４に示したように、本考案の実施形態に係る鉄筋コンクリート構築物１は、鉄筋躯体（例えば、ＲＣ壁４の柱部分など）の上部にフック５１を備えていてもよい。このフック５１は、吊り上げワイヤＢ１等を介して、クレーンなどの吊り上げ手段Ｂと着脱自在に連係するように構成されている。フック５１は、鉄筋５０（または、ＲＣ壁４と根巻き基礎３とベタ基礎２内に設けられたＬ字形に折れ曲がるように設けられたロッド）と直接または調節部材５２（ターンバックルなどの引き締め金具）などを介して接続されている。例えば、鉄筋コンクリート構築物１の平面形状が矩形状に形成される場合、その隅柱または隅柱近くなどの四ヶ所又はそれ以上の箇所にフック５１をそれぞれ配置し、吊り上げワイヤＢ１を架け渡すなどして、吊り上げ手段Ｂを引き上げることにより、鉄筋躯体とベタ基礎２と根巻き基礎３とＲＣ壁４とが一体的に連結状態のまま鉄筋コンクリート構築物１が吊り上げられるように構成されている。
このように、鉄筋コンクリート構築物１の全体をクレーンなどの吊り上げ手段Ｂにより吊り上げ、所定の場所に、簡単に移設することができる鉄筋コンクリート構築物１を提供することができる。
【００３４】
また、上述したように、洪水や津波などの時、鉄筋コンクリート構築物１のＲＣ壁４は水圧に対して強固に構成されているので、救助を待つ時間を確保することができる。
【００３５】
また、鉄筋コンクリート構築物１は、鉄骨枠の柱としてチャンネルを採用し、鉄骨枠同士をハイテンションボルトなどの連結部材１４により緊結し、タップ溶接により結合した構造を有するので、柱はＩビームと略同様に強固な構造となっている。
【００３６】
また、鉄筋コンクリート構築物１は、チャンネルなどにより柱部分が形成され、チャンネルの柱の内部にコンクリート２２が入り込んだ構造となっているので、非常に強固となっており、衝撃により破壊され難い構造である。
【００３７】
また、型枠は、開口部の細工が不要の為、チャンネル柱を挟む仕様なので、コンクリート打設が簡単且つ素早くでき、しかもジャンカン等のミスもない。従って補修等の無駄な作業がなくきれいに仕上がる。
【００３８】
また、ＲＣ壁４の開口部は、正確な墨出しを行い、コンクリートカッタで切断し開口するため、出入口サッシ・窓サッシ・換気扇・その他の住宅器具等、木造住宅用を使用することができる。
【００３９】
また、基礎・外壁・屋根全てを防水施工することで、浸水を阻止することができ、水面に浮くことができる。
【００４０】
また、上述したよう、鉄筋コンクリート構築物１の比重は、０．３３ｔ／ｍ3のため、水に浮く。基礎部分の重量が９０ｔで５５％のため、図面で示した通りバランスよく浮くことができる。
詳細には、本実施形態では、鉄筋コンクリート構築物１の建物の面積は１２６．２５ｍ2である。また、鉄筋コンクリート構築物１の体積は５１３ｍ3、重量は１４２．５ｔ、床・壁・天井仕上げ材の重量は１３ｔ、鉄骨枠重量は９．５ｔ、総重量は１６５ｔである。つまり、１ｍ2あたり１．３ｔである。
このため、比重換算体積ラインは、１６５ｔ÷比重２．５＝６６ｍ3である。基礎底からの重心高は、６６ｍ3÷１２６．２５ｍ2≒５２３ｍｍである。喫水線（ＷＬ）は、５２３ｍｍ×比重２．５＝１３０７ｍｍ（浮力１とした場合）である。
【００４１】
また、例えば、上記鉄筋コンクリート構築物１の喫水線（ＷＬ）は、基礎の底から約１３０７ｍｍで、窓下約１５５０ｍｍとなっており、２４３ｍｍの余裕があり水圧で窓ガラスが割れることがない。出入口は、ドアのため水圧で壊れることはない（補強サッシ）。
【００４２】
また、上述したように、鉄筋コンクリート構築物１は、基礎ごと吊り上げることができる構造である。なお且つ、図面で示した通り低重心なので、余裕で水面に浮くので、津波災害に対しても安心・安全住宅である。
【００４３】
また、上記本考案の実施形態に係る鉄筋コンクリート構築物１は、耐震性・耐火性・耐水性・遮音性・断熱性に優れ、耐用年数が長く、維持管理費が安く、安心・安全の住む人に優しいエコハウスである。
【００４４】
また、上記本考案の実施形態に係る鉄筋コンクリート構築物１は、外壁パネル工法で建築するため、工期が短く精度に優れた住宅を建築する事ができる。ＲＣ造のハウスを比較的安価に提供することができる。
【００４５】
以上、本考案の実施形態について図面を参照して詳述してきたが、具体的な構成はこれらの実施形態に限られるものではなく、本考案の要旨を逸脱しない範囲の設計の変更等があっても本考案に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本考案の実施形態は各図を組み合わせた一つの実施形態に限定されるものではない。
【符号の説明】
【００４６】
１  鉄筋コンクリート構築物（ＲＣ外壁プレハブ構造）
２  ベタ基礎（鉄筋入りベタ基礎）
３  根巻き基礎（鉄筋入り根巻き基礎）
４  ＲＣ壁（鉄筋入りコンクリート壁）
４ａ  窓枠用開口部
４ｂ  出入口用開口部
５  アジャスター支持材
６  大引き（チャンネル）
７  根太（Ｃチャンネル）
８  合板
９  カラーフロア
１０  窓枠（窓）
１１  扉
１４  連結部材
１５  梁
１６  吊りボルト
１７  天井軽量鉄骨
１８  ボード
１９  クロス
２１  キーストンプレート（部材）
２２  コンクリート
２３  庇の出
２４  雨樋
３０  防水被覆部
３５  タップ溶接部
４１  チャンネル部材
４２  枠トップチャンネル
４３  枠下部支持兼根太受けアングル
４４  キーストンプレート受けチャンネル
５０  鉄筋
５１  フック
５２  調節部材（引き締め金具）
６０  型枠
６１  仮設部材
８０  砕石
Ｂ  吊り上げ手段
Ｂ１  吊り上げワイヤ
ＧＮＤ  地面
【図１】
0003180231.tif 000003
【図２】
0003180231.tif 000004
【図３】
0003180231.tif 000005
【図４】
0003180231.tif 000006
【図５】
0003180231.tif 000007
【図６】
0003180231.tif 000008
【図７】
0003180231.tif 000009
【図８】
0003180231.tif 000010
【図９】
0003180231.tif 000011
【図１０】
0003180231.tif 000012
【図１１】
0003180231.tif 000013
【図１２】
0003180231.tif 000014
【図１３】
0003180231.tif 000015
【図１４】
0003180231.tif 000016